【事件の表示】
　特願２０１０−２１４５２８「情報処理端末、情報処理システム、情報処理プログラム」拒絶査定不服審判事件〔平成２４年　１月２６日出願公開、特開２０１２−　１８６５７〕について、次のとおり審決する。
【結　論】
　本件審判の請求は、成り立たない。
【理　由】
第１　手続の経緯
　本願は、平成２２年９月２４日（国内優先；平成２２年６月１１日（以下、「優先日という。））を出願日とする出願であって、その後の手続の経緯の概略は次のとおりである。
　
出願審査請求（提出日）　　　　　　平成２５年８月７日
拒絶理由通知（起案日）　　　　　　平成２６年５月２８日
意見、手続補正（提出日）　　　　　平成２６年７月３１日
拒絶査定（起案日）　　　　　　　　平成２６年１２月９日
拒絶査定謄本送達　　　　　　　　　平成２６年１２月１１日
審判請求（提出日）　　　　　　　　平成２７年３月１１日
手続補正（提出日）　　　　　　　　平成２７年３月１１日
前置報告（作成日）　　　　　　　　平成２７年４月１０日
拒絶理由通知（起案日）　　　　　　平成２７年１０月３０日
意見、手続補正（提出日）　　　　　平成２７年１２月２２日
拒絶理由通知（起案日）　　　　　　平成２８年３月８日
意見、手続補正（提出日）　　　　　平成２８年５月１２日
　
第２　本願発明
　本願の請求項１ないし４１に係る発明は、平成２８年５月１２日付の手続補正により補正された特許請求の範囲の請求項１ないし４１に記載された事項により特定されると認められるところ、本願の請求項１に係る発明（以下、「本願発明」という。）は次のとおりのものと認められる。
　
「自動的にサーバに接続する接続手段と、
　前記サーバから１以上のプログラムの受信処理を自動的に行う受信手段と、
　前記受信手段によって受信された前記プログラムがインストールされていないときは、当該プログラムの情報処理装置への新規インストール処理を自動的に行うインストール手段と、
　　前記インストールされたプログラムの一覧を作成し出力する一覧作成手段と、
　　前記情報処理装置への所定の操作に応じて、前記一覧からいずれかのプログラムを選択する第１の選択手段と、
　　前記選択されたプログラムのアンインストール処理を行うアンインストール手段と、
　　前記アンインストール手段によってアンインストールされたプログラムを特定するための削除プログラム特定情報を記憶する削除履歴記憶手段とを備え、
　前記サーバから受信されるプログラムには、システムプログラムとアプリケーションプログラムの２種類のプログラムが存在し、
　前記受信手段は、前記アプリケーションプログラムを自動的に受信し、
　前記インストール手段は、前記アプリケーションプログラムの情報処理装置への新規インストール処理を自動的に行い、
　前記受信手段は、前記削除プログラム特定情報で特定されるアプリケーションプログラムについては、受信処理を行わない、情報処理装置。」
　
第３　引用文献
１．引用文献１
（１）引用文献１に記載されている技術的事項
　本願の出願前（優先日；平成２２年６月１１日）に既に頒布又は電気通信回線を通じて公衆に利用可能となり、当審の平成２８年３月８日付の拒絶理由通知において引用された文献である、特開２００９−１１１５３０号公報（以下「引用文献１」という。）には、関連する図面とともに、次の事項が記載されている。（当審注；下線は、参考のために当審が付与した。） 
 ア．「【発明の開示】　
　【発明が解決しようとする課題】　
　…（中略）…また、再生装置では、ＢＤ−ＲＯＭ上のコンテンツの再生を行いながら、バックグラウンドでネットワーク上のサブコンテンツをダウンロードすることが望ましいが、再生とダウンロードを同時に行うのはシステム負荷が高く、困難な場合が多い。また、ＢＤ−ＲＯＭ上のコンテンツが再生停止状態であっても、再生装置のブロードバンド環境が十分でない場合には、サブコンテンツのダウンロードに時間がかかり、ユーザに待ち時間を与えてしまうこととなる。　
　【０００６】　
　以上のような事情に鑑み、本発明の目的は、
コンテンツを記録した記録媒体が挿入されていない場合でも、当該コンテンツに関連するサブコンテンツをネットワーク上からダウンロードすることが可能な電子機器
を提供する
　【課題を解決するための手段】　
　【０００７】　
　上述の課題を解決するため、本発明の主たる観点に係る電子機器は、コンテンツと、前記コンテンツに関連するサブコンテンツをネットワーク上の所定場所から受信可能なアプリケーションと、前記所定場所を示す場所情報を含む前記コンテンツのメタデータとが記録された可搬性の記録媒体を挿入可能な挿入部と、前記挿入部に挿入された前記記録媒体から前記メタデータを読み取る読み取り手段と、前記挿入部に前記記録媒体が挿入されていない場合に、前記読み取られたメタデータ中の前記場所情報を基に、前記アプリケーションによらずに前記場所情報を基に前記所定場所から前記サブコンテンツを受信する受信手段と、前記アプリケーションにより受信された前記サブコンテンツ及び前記アプリケーションによらずに受信された前記サブコンテンツを再生する再生手段とを具備する。　
　【０００８】　
　　ここでコンテンツとは例えば映画やドラマ等の映像コンテンツ、楽曲等の音声コンテンツ等である。
サブコンテンツとは、
コンテンツが映画の場合、
トレイラー（予告編）、いわゆるメイキング映像、
その映画に関連したゲームアプリケーション等である
　　　
　イ．「【００２２】　
　上記電子機器において、前記記憶手段は、前記記憶されたサブコンテンツを消去する手段と、前記消去されたサブコンテンツの消去履歴情報を記憶する手段とを有し、
前記受信手段は、前記消去履歴情報を基に、前記記憶されていないサブコンテンツのうち、前記消去されたサブコンテンツを除いたサブコンテンツを受信するようにしてもよい
　【００２３】　
　
これにより、未記憶のサブコンテンツを受信するだけでなく、消去されたサブコンテンツが受信されないように制御できる。したがって、ユーザに常に最新のサブコンテンツを視聴させることができるだけでなく、ユーザにとって不要なサブコンテンツが視聴されるのを防ぐことができる
　…（中略）…
　【００３１】
　
各コンテンツサーバ２２は
例えば最新映画のトレイラーや、
コンテンツに関連するゲームアプリケーション、メイキング映像、インタビュー映像、イベント映像等、コンテンツ提供者の宣伝用のコンテンツ（以下、これらをまとめてサブコンテンツと称する）が記憶されている。これらサブコンテンツは、記録再生装置１００により上記インターネット２１を介してダウンロードされる
　…（中略）…
　【００５０】　
　レジデントアプリは、ローカルストレージに記憶されたサブコンテンツの再生／削除履歴情報３６を記憶する。そして、ダウンロードマネージャー３５は、この再生／削除履歴情報を参照して、再生及び削除されたサブコンテンツが再度ダウンロードされないように制御する。」　
　　　
　ウ．「【００７８】　
　
図６は、レジデントアプリがトレイラーをダウンロードする際の動作の流れを示したフローチャートである
　同図に示すように、まず、
レジデントアプリのダウンロードマネージャー３５は、ダウンロードタイミングが到来したか否かを判断する
このダウンロードタイミングとは、上述したように、例えば記録再生装置１００がスタンバイ中の毎日ＡＭ１２：００等の時刻である。続いて、ダウンロードマネージャー３５は、
読み出したメタデータ中のＵＲＬを用いて、コンテンツサーバ２２へアクセスする
　【００７９】　
　続いて、ダウンロードマネージャー３５は、コンテンツサーバ２２上に新着トレイラーが存在するか否かを判断する（ステップ７４）。この場合の新着トレイラーか否かの判断は、ダウンロードマネージャー３５が、コンテンツサーバ２２上のトレイラーリストと、ディスクライブラリＤＢ３４に記載されたトレイラーリストとを比較することで行われる。また、
ダウンロードマネージャー３５はそれに加えて、上記再生／削除履歴情報３６も参照して、当該再生／削除履歴情報３６中に記載されたトレイラーもダウンロードされないよう制御する
すなわち、ダウンロードマネージャー３５は、
既に再生されたトレイラーと、ローカルストレージ３８上から削除されたトレイラーは、新着トレイラーとして扱わないこととする。これにより、コンテンツサーバ２２上に存在するトレイラーのうち、ローカルストレージ３８上に記憶されておらず、かつ、再生／削除履歴情報３６中にも記載されていないトレイラーが新着トレイラーと判断される
　【００８０】　
　ダウンロードマネージャー３５は、上記新着トレイラーが存在すると判断した場合（Ｙｅｓ）には、当該新着トレイラーをコンテンツサーバ２２からダウンロードする（ステップ７５）。そして、ダウンロードマネージャー３５は、上記ローカルストレージ３８上の、ディスクＩＤ＝ｎの固有ディレクトリ４２の配下に存在するマニフェストファイル４４を参照することで、ダウンロードしたトレイラーが共通トレイラーであるか固有トレイラーであるかを判断する（ステップ７６）。　
　【００８１】　
　
ダウンロードマネージャー３５は、ダウンロードしたトレイラーが共通トレイラーであると判断した場合
共通ディレクトリ４３の配下に記憶する
　【００８２】　
　
ダウンロードマネージャー３５は、ダウンロードしたトレイラーが固有トレイラーであると判断した場合
固有ディレクトリ４２の配下に記憶する
　…（中略）…　
　【００８４】　
　
以上の処理により、ＢＤ−ＲＯＭが記録再生装置１００に挿入されていない場合でも、レジデントアプリが、上記ディスクライブラリＤＢ３４を基にコンテンツサーバ２２にアクセスして新着トレイラーをバックグラウンドでダウンロードすることができる
記録再生装置１００は、ユーザからトレイラーの再生要求が発生した場合には、
既にダウンロードしたトレイラーを再生することができる
　【００８５】　
　図７は、レジデントアプリがトレイラーの再生／削除履歴情報３６を更新する動作の流れを示したフローチャートである。　　
　同図に示すように、まず、レジデントアプリは、ディスクライブラリＤＢ３４を読み出し（ステップ１０１）、上記図２において示したようなディスクライブラリ３０をＴＶ２０の表示部に表示させる（ステップ１０２）。　
　【００８６】
　続いて、
レジデントアプリは、上記ディスクライブラリＤＢと再生／削除履歴情報３６とを参照して、ローカルストレージ３８上に記憶されたトレイラーのうち、まだ再生されていない新着トレイラー（固有トレイラー４６及び共通トレイラー４７）があるか否かを判断する
　【００８７】　
　レジデントアプリは、未再生の新着トレイラーが存在すると判断した場合（Ｙｅｓ）には、上記ディスクライブラリ３０上に、上記図２において示したＮｅｗアイコン３３を重畳させて表示させる（ステップ１０４）。　
　【００８８】
　続いて、
レジデントアプリは、例えばユーザのリモコン操作等により当該Ｎｅｗアイコン３３を選択する操作が入力されると
当該選択されたＮｅｗアイコン３３に対応する新着トレイラーに関する情報を例えばリストボックスとして表示する
　【００８９】
　
図８は、ディスクライブラリ３０上でリストボックスが表示される様子を示した図である
　同図に示すように、
例えばＮｅｗアイコン３３ａが選択された場合、例えば当該Ｎｅｗアイコン３３ａに重畳させて、リストボックス８１を表示する。当該リストボックス８１には、
当該新着トレイラーを再生するための再生ボタン８２及び当該新着トレイラーをローカルストレージ３８上から削除するための削除ボタン８３が表示される
　【００９０】　
　図７に戻り、レジデントアプリは、上記リストボックス８１上で、再生ボタン８２が選択されたか否かを判断し（ステップ１０７）、当該再生ボタン８２が選択されたと判断した場合には当該新着トレイラーをローカルストレージ３８上から読み出して再生する（ステップ１０８）。そして、レジデントアプリは、この再生された新着トレイラーについての再生履歴を、上記再生／削除履歴情報３６において更新する（ステップ１０９）。　
　【００９１】　
　また、
レジデントアプリは、上記リストボックス８１上で、削除ボタン８３が選択されたか否かを判断し（ステップ１１０）、当該削除ボタン８３が選択されたと判断した場合には当該新着トレイラーをローカルストレージ３８上から削除する
レジデントアプリは、この削除された新着トレイラーについての削除履歴を、再生／削除履歴情報３６上において更新する
この再生／削除履歴情報３６は、
記憶される
　【００９２】　
　以上の処理により、ＢＤ−ＲＯＭが記録再生装置１００に挿入されていない場合でも、レジデントアプリが、ディスクライブラリ３０上で新着トレイラーの存在をＮｅｗアイコン３３としてユーザに報知し、当該Ｎｅｗアイコン３３を介して当該新着トレイラーを再生したり、削除したりすることができる。これにより、コンテンツ提供者による宣伝機会を増やすことができる。また、
レジデントアプリが、その再生及び削除の履歴を再生／削除履歴情報３６として記憶しておくことで、ユーザが視聴を所望しない不要なトレイラーがダウンロードされたり、ディスクライブラリ３０上でＮｅｗアイコン３３として表示されたりするのを防ぎ、視聴の無駄を防ぐことができる
　
（２）引用文献１に記載された発明
（ア）前記ウ．の「図６は、レジデントアプリがトレイラーをダウンロードする際の動作の流れを示したフローチャートである・・・レジデントアプリのダウンロードマネージャー３５は、ダウンロードタイミングが到来したか否かを判断する・・・このダウンロードタイミングとは、上述したように、例えば記録再生装置１００がスタンバイ中の毎日ＡＭ１２：００等の時刻である。続いて、ダウンロードマネージャー３５は、・・・読み出したメタデータ中のＵＲＬを用いて、コンテンツサーバ２２へアクセスする・・・以上の処理により、ＢＤ−ＲＯＭが記録再生装置１００に挿入されていない場合でも、レジデントアプリが、上記ディスクライブラリＤＢ３４を基にコンテンツサーバ２２にアクセスして新着トレイラーをバックグラウンドでダウンロードすることができる」との記載から、「記録再生装置におけるダウンロードマネージャーは、ダウンロードタイミングが到来するとコンテンツサーバにアクセスする」ことをよみとることができる。
　
（イ）前記ア．の「コンテンツを記録した記録媒体が挿入されていない場合でも、当該コンテンツに関連するサブコンテンツをネットワーク上からダウンロードすることが可能な電子機器・・・を提供する・・・サブコンテンツとは、・・・コンテンツが映画の場合、・・・トレイラー（予告編）、いわゆるメイキング映像、・・・その映画に関連したゲームアプリケーション等である」との記載、前記イ．の「各コンテンツサーバ２２は・・・、例えば最新映画のトレイラーや、・・・コンテンツに関連するゲームアプリケーション、メイキング映像、インタビュー映像、イベント映像等、コンテンツ提供者の宣伝用のコンテンツ（以下、これらをまとめてサブコンテンツと称する）が記憶されている。これらサブコンテンツは、記録再生装置１００により上記インターネット２１を介してダウンロードされる」との記載から、「ゲームアプリケーションを含むことができるサブコンテンツ」の「ダウンロード」をよみとることができ、当該サブコンテンツは、コンテンツを記録した記録媒体が挿入されていない場合でも、ダウンロードされるものである。前記ア．の記載をふまえると、前記（ア）で言及した「新着トレイラーをバックグラウンドでダウンロードする」ことは、前記「トレイラーや、・・・コンテンツに関連するゲームアプリケーション、メイキング映像、インタビュー映像、イベント映像等、コンテンツ提供者の宣伝用のコンテンツ（以下、これらをまとめてサブコンテンツと称する）」との記載から、ダウンロードされるものが「新着トレイラー」等に限定されなければならない理由はなく、前記「まとめてサブコンテンツと称する」ところ「サブコンテンツ」に含まれるものとして「新着トレイラー」ないし「コンテンツに関連するゲームアプリケーション」などの場合があることは自明であり示されているといえる。以下、「サブコンテンツ」として「ゲームアプリケーションを含むことができるサブコンテンツ」の場合に着目し、「サブコンテンツ」は「ゲームアプリケーションを含むことができるサブコンテンツ」であっても何ら支障のないものである。そして、受信に関し、前記イ．の「前記受信手段は、前記消去履歴情報を基に、前記記憶されていないサブコンテンツのうち、前記消去されたサブコンテンツを除いたサブコンテンツを受信するようにしてもよい」との記載、前記（ア）で言及したダウンロードタイミングが到来したあとの前記ウ．の図６の動作は「ユーザの介入がない」「自動的」に行われるものであるとみることができる点をふまえると、「コンテンツサーバからゲームアプリケーションを含むことができるサブコンテンツを自動的に受信することができる受信手段」をよみとることができる。 
　
（ウ）前記ウ．の「ダウンロードマネージャー３５はそれに加えて、上記再生／削除履歴情報３６も参照して、当該再生／削除履歴情報３６中に記載されたトレイラーもダウンロードされないよう制御する。すなわち、ダウンロードマネージャー３５は、・・・既に再生されたトレイラーと、ローカルストレージ３８上から削除されたトレイラーは、新着トレイラーとして扱わないこととする。これにより、コンテンツサーバ２２上に存在するトレイラーのうち、ローカルストレージ３８上に記憶されておらず、かつ、再生／削除履歴情報３６中にも記載されていないトレイラーが新着トレイラーと判断される・・・ダウンロードマネージャー３５は、ダウンロードしたトレイラーが共通トレイラーであると判断した場合・・・共通ディレクトリ４３の配下に記憶する・・・ダウンロードマネージャー３５は、ダウンロードしたトレイラーが固有トレイラーであると判断した場合・・・固有ディレクトリ４２の配下に記憶する」との記載、前記ウ．の「記録再生装置１００は、ユーザからトレイラーの再生要求が発生した場合には、・・・既にダウンロードしたトレイラーを再生することができる」との記載、および、前記（イ）で言及したようにトレイラー等を総称的に「サブコンテンツ」と呼ぶと、「ダウンロードマネージャーは、既に再生されたサブコンテンツと、ローカルストレージ上から削除されたサブコンテンツを、新着サブコンテンツとして扱わないこととし、コンテンツサーバ上に存在するサブコンテンツのうち、ローカルストレージ上に記憶されておらず、かつ、再生／削除履歴情報中にも記載されていないサブコンテンツを新着サブコンテンツと判断し、ダウンロードマネージャーは、ダウンロードしたサブコンテンツを共通ディレクトリの配下ないし固有ディレクトリの配下に記憶するように制御し、ユーザからサブコンテンツの再生要求が発生した場合には、既にダウンロードした新着サブコンテンツを再生することができる」ことをよみとることができる。
　
（エ）前記ウ．の「レジデントアプリは、上記ディスクライブラリＤＢと再生／削除履歴情報３６とを参照して、ローカルストレージ３８上に記憶されたトレイラーのうち、まだ再生されていない新着トレイラー（固有トレイラー４６及び共通トレイラー４７）があるか否かを判断する・・・ レジデントアプリは、例えばユーザのリモコン操作等により当該Ｎｅｗアイコン３３を選択する操作が入力されると・・・当該選択されたＮｅｗアイコン３３に対応する新着トレイラーに関する情報を例えばリストボックスとして表示する・・・ 図８は、ディスクライブラリ３０上でリストボックスが表示される様子を示した図である」との記載から、「レジデントアプリは、上記ディスクライブラリＤＢと再生／削除履歴情報とを参照して、ローカルストレージ上に記憶されたサブコンテンツのうち、まだ再生されていない新着サブコンテンツがあるか否かを判断し、レジデントアプリは、例えばユーザのリモコン操作等によりＮｅｗアイコンを選択する操作が入力されると当該選択されたＮｅｗアイコンに対応する新着サブコンテンツに関する情報を例えばリストボックスとして表示する」ことをよみとることができる。
　
（オ）前記ウ．の「例えばＮｅｗアイコン３３ａが選択された場合、例えば当該Ｎｅｗアイコン３３ａに重畳させて、リストボックス８１を表示する。当該リストボックス８１には、・・・当該新着トレイラーを再生するための再生ボタン８２及び当該新着トレイラーをローカルストレージ３８上から削除するための削除ボタン８３が表示される・・・レジデントアプリは、上記リストボックス８１上で、削除ボタン８３が選択されたか否かを判断し（ステップ１１０）、当該削除ボタン８３が選択されたと判断した場合には当該新着トレイラーをローカルストレージ３８上から削除する」との記載から、「Ｎｅｗアイコンが選択された場合、当該Ｎｅｗアイコンに重畳させて、リストボックスを表示し、当該リストボックスには、当該新着サブコンテンツを再生するための再生ボタン及び当該新着サブコンテンツをローカルストレージ上から削除するための削除ボタンが表示され、
　前記リストボックス上で、削除ボタンが選択されたか否かを判断し、当該削除ボタンが選択されたと判断した場合には当該新着サブコンテンツをローカルストレージ上から削除する手段」をよみとることができる。
　
（カ）前記ウ．の「レジデントアプリは、この削除された新着トレイラーについての削除履歴を、再生／削除履歴情報３６上において更新する・・・この再生／削除履歴情報３６は、・・・記憶される」との記載から「前記削除された新着サブコンテンツについての削除履歴を、再生／削除履歴情報上において更新し前記再生／削除履歴情報が記憶される記憶手段」をよみとることができる。
　
（キ）前記イ．の「前記受信手段は、前記消去履歴情報を基に、前記記憶されていないサブコンテンツのうち、前記消去されたサブコンテンツを除いたサブコンテンツを受信するようにしてもよい・・・これにより、未記憶のサブコンテンツを受信するだけでなく、消去されたサブコンテンツが受信されないように制御できる。したがって、ユーザに常に最新のサブコンテンツを視聴させることができるだけでなく、ユーザにとって不要なサブコンテンツが視聴されるのを防ぐことができる」との記載、前記ウ．の「レジデントアプリが、その再生及び削除の履歴を再生／削除履歴情報３６として記憶しておくことで、ユーザが視聴を所望しない不要なトレイラーがダウンロードされたり、ディスクライブラリ３０上でＮｅｗアイコン３３として表示されたりするのを防ぎ、視聴の無駄を防ぐことができる」との記載、前記「消去」は「削除」と技術的に同様とみることができ「削除」と換言すれば、「前記受信手段は、前記削除履歴情報を基に、前記記憶されていないサブコンテンツのうち、前記削除されたサブコンテンツを除いたサブコンテンツを受信することにより、未記憶のサブコンテンツを受信するだけでなく、削除されたサブコンテンツが受信されないように制御できる」ことをよみとることができる。
　
　前記（ア）〜（キ）によれば、引用文献１には前記ア．に記載された「コンテンツを記録した記録媒体が挿入されていない場合でも、当該コンテンツに関連するサブコンテンツをネットワーク上からダウンロードすることが可能な電子機器を提供すること」を目的とした次の発明（以下「引用文献１発明」という。）が示されている。
　
「記録再生装置におけるダウンロードマネージャーは、ダウンロードタイミングが到来するとコンテンツサーバにアクセスし、
　前記コンテンツサーバからゲームアプリケーションを含むことができるサブコンテンツを自動的に受信することができる受信手段と、
　ダウンロードマネージャーは、既に再生されたサブコンテンツと、ローカルストレージ上から削除されたサブコンテンツを、新着サブコンテンツとして扱わないこととし、コンテンツサーバ上に存在するサブコンテンツのうち、ローカルストレージ上に記憶されておらず、かつ、再生／削除履歴情報中にも記載されていないサブコンテンツを新着サブコンテンツと判断し、ダウンロードマネージャーは、ダウンロードしたサブコンテンツを共通ディレクトリの配下ないし固有ディレクトリの配下に記憶するように制御し、ユーザからサブコンテンツの再生要求が発生した場合には、既にダウンロードした新着サブコンテンツを再生することができ、
　レジデントアプリは、上記ディスクライブラリＤＢと再生／削除履歴情報とを参照して、ローカルストレージ上に記憶されたサブコンテンツのうち、まだ再生されていない新着サブコンテンツがあるか否かを判断し、レジデントアプリは、例えばユーザのリモコン操作等によりＮｅｗアイコンを選択する操作が入力されると当該選択されたＮｅｗアイコンに対応する新着サブコンテンツに関する情報を例えばリストボックスとして表示し、
　Ｎｅｗアイコンが選択された場合、当該Ｎｅｗアイコンに重畳させて、リストボックスを表示し、当該リストボックスには、当該新着サブコンテンツを再生するための再生ボタン及び当該新着サブコンテンツをローカルストレージ上から削除するための削除ボタンが表示され、
　前記リストボックス上で、削除ボタンが選択されたか否かを判断し、当該削除ボタンが選択されたと判断した場合には当該新着サブコンテンツをローカルストレージ上から削除する手段と、
　前記削除された新着サブコンテンツについての削除履歴を、再生／削除履歴情報上において更新し前記再生／削除履歴情報が記憶される記憶手段と、
　前記受信手段は、前記削除履歴情報を基に、前記記憶されていないサブコンテンツのうち、前記削除されたサブコンテンツを除いたサブコンテンツを受信することにより、未記憶のサブコンテンツを受信するだけでなく、削除されたサブコンテンツが受信されないように制御できる、記録再生装置。」
　
２．引用文献２
　本願の出願前に既に頒布又は電気通信回線を通じて公衆に利用可能となり、当審の平成２８年３月８日付の拒絶理由通知において引用された文献である、栗林　裕，ＣＨＥＣＫ　ＩＮ：Ｃａｓｔａｎｅｔ［英語版］Ｊａｖａアプリケーションを自動配信する注目のプッシュ型システムが日本上陸，ｎｅｔＰＣ，日本，株式会社アスキー，１９９７年７月１日，第２巻，第７号（通巻１５号），ｐｐ．６６〜６７（特に第６６頁左欄第１８行〜同頁中欄第６行及び第６７頁左欄第１〜３行を参照）（以下「引用文献２」という。）には、関連する図面とともに、次の事項が記載されている。
　
あ．「Ｃａｓｔａｎｅｔでは、プッシュ型と呼ばれるメカニズムを用いている。
プッシュ型の情報発信では、必要な情報はサーバーから自動的にクライアントに送られ
アプリケーションの配布やアップデートなどが、サーバーからクライアントへ自動で配信され、インストールも行われる
　
３．引用文献３
　本願の出願前に既に頒布又は電気通信回線を通じて公衆に利用可能となり、当審の平成２８年３月８日付の拒絶理由通知において引用された文献である、国際公開第２００９／０７０６０１号（以下「引用文献３」という。）には、関連する図面とともに、次の事項が記載されている。
　引用文献３には、図面とともに次の事項が記載されている。 
い．「[0040]…（中略）…These updates can include, but are not limited to, software updates for applications, the cell phone operating system 110, and the like. …（中略）… If any updates are found online, they can be downloaded and installed during the sleep mode.」 
 当審訳；「これらの
アップデートは、限定されないが、アプリケーション、携帯電話のオペレーティングシステムのようなアップデートのためのソフトウェアを含む
任意のアップデートがオンラインで発見されると、スリープモードの間にダウンロードされインストール可能である
　
第４　対比
　本願発明と引用文献１発明とを対比する。
（１）引用文献１発明の「ダウンロードタイミングが到来するとコンテンツサーバにアクセス」することに関し、前記イ．に「インターネット２１を介してダウンロード」と記載されていることから、インターネット接続がされることは必然であり、ダウンロードタイミングが到来すると「自動的に」接続して「アクセス」されるとみることができる。してみれば、引用文献１発明の「記録再生装置におけるダウンロードマネージャーは、ダウンロードタイミングが到来するとコンテンツサーバにアクセス」することと、本願発明の「自動的にサーバに接続する接続手段」とに実質的な差異はない。
　
（２）引用文献１発明の「ゲームアプリケーションを含むことができるサブコンテンツ」と本願発明の「プログラム」とは、前記「ゲームアプリケーション」はゲームアプリケーション「プログラム」であるから、「プログラム」である点で一致する。よって、引用文献１発明の「前記コンテンツサーバからゲームアプリケーションを含むことができるサブコンテンツを自動的に受信することができる受信手段」と、本願発明の「前記サーバから１以上のプログラムの受信処理を自動的に行う受信手段」とに実質的な差異はない。
　
（３）引用文献１発明の「新着サブコンテンツ」、「ローカルストレージ上に記憶」、「再生することができ」ることは、前記（イ）で言及したように「サブコンテンツ」が「ゲームアプリケーションを含むことができる（新着）サブコンテンツ」を含み、サブコンテンツのコンテンツの場合における、記憶し、再生可能である点は、前記ゲームアプリケーションの場合においては、記憶し、実行可能にすること（インストール）が相当しこの点は技術的常識であり示されているといえる。なお、プログラムのダウンロード、記憶、インストールの一連の周知技術として、引用文献２を参照されたい。引用文献２には「プッシュ型の情報発信では、必要な情報はサーバーから自動的にクライアントに送られ・・・アプリケーションの配布やアップデートなどが、サーバーからクライアントへ自動で配信され、インストールも行われる」と記載されているように、アプリケーション（プログラム）のダウンロードの場合、インストールは一連の技術である。（以下、引用文献１発明の「新着サブコンテンツ（ゲームアプリケーションを含むことができる（新着）サブコンテンツ）」、「ローカルストレージ上に記憶」、「再生することができ」ようになっていることが本願発明の「プログラム」、「インストール」に換言される点については、引用文献１発明のそれぞれの記載箇所において言及したものとする）。
　してみれば、引用文献１発明の「ダウンロードマネージャーは、既に再生されたサブコンテンツと、ローカルストレージ上から削除されたサブコンテンツを、新着サブコンテンツとして扱わないこととし、コンテンツサーバ上に存在するサブコンテンツのうち、ローカルストレージ上に記憶されておらず、かつ、再生／削除履歴情報中にも記載されていないサブコンテンツを新着サブコンテンツと判断し、ダウンロードマネージャーは、ダウンロードしたサブコンテンツを共通ディレクトリの配下ないし固有ディレクトリの配下に記憶するように制御し、ユーザからサブコンテンツの再生要求が発生した場合には、既にダウンロードした新着サブコンテンツを再生すること」と本願発明の「前記受信手段によって受信された前記プログラムがインストールされていないときは、当該プログラムの情報処理装置への新規インストール処理を自動的に行うインストール手段」とに実質的な差異はない。
　
（４）前記（３）で言及した、引用文献１発明の「新着サブコンテンツ（ゲームアプリケーションを含むことができる（新着）サブコンテンツ）」、「ローカルストレージ上に記憶」、「再生することができ」ようになっていることが本願発明の「プログラム」、「インストール」に相当する点をふまえれば、引用文献１発明の「レジデントアプリは、上記ディスクライブラリＤＢと再生／削除履歴情報とを参照して、ローカルストレージ上に記憶されたサブコンテンツのうち、まだ再生されていない新着サブコンテンツがあるか否かを判断し、レジデントアプリは、例えばユーザのリモコン操作等によりＮｅｗアイコンを選択する操作が入力されると当該選択されたＮｅｗアイコンに対応する新着サブコンテンツに関する情報を例えばリストボックスとして表示」することと本願発明の「前記インストールされたプログラムの一覧を作成し出力する一覧作成手段」とに実質的な差異はない。
　
（５）引用文献１発明の「Ｎｅｗアイコンが選択された場合、当該Ｎｅｗアイコンに重畳させて、リストボックスを表示し、当該リストボックスには、当該新着サブコンテンツを再生するための再生ボタン及び当該新着サブコンテンツをローカルストレージ上から削除するための削除ボタンが表示され」ることと本願発明の「前記情報処理装置への所定の操作に応じて、前記一覧からいずれかのプログラムを選択する第１の選択手段」とに実質的な差異はない。
　
（６）本願明細書の段落【０２８４】には「アプリケーションの削除（アンインストール）」と記載されており、この記載によれば、引用文献１発明の「新着サブコンテンツ」の「削除」は本願発明の「プログラム」の「アンインストール」に相当する。してみれば、引用文献１発明の「前記リストボックス上で、削除ボタンが選択されたか否かを判断し、当該削除ボタンが選択されたと判断した場合には当該新着サブコンテンツをローカルストレージ上から削除する手段」と本願発明の「前記選択されたプログラムのアンインストール処理を行うアンインストール手段」とに実質的な差異はない。
　
（７）引用文献１発明の「前記削除された新着サブコンテンツについての削除履歴を、再生／削除履歴情報上において更新し前記再生／削除履歴情報が記憶される記憶手段」と本願発明の「前記アンインストール手段によってアンインストールされたプログラムを特定するための削除プログラム特定情報を記憶する削除履歴記憶手段」とに実質的な差異はない。
　
（８）引用文献１発明は、前記（２）で言及したように「前記コンテンツサーバからゲームアプリケーションを含むことができるサブコンテンツを自動的に受信することができる受信手段」は、「コンテンツサーバから（ゲームアプリケーションを含むことができる）サブコンテンツを自動的に受信することができる」ものであり、前記「ゲームアプリケーション」はアプリケーションプログラムとみることができる点をふまえると、引用文献１発明の前記事項と本願発明の「前記サーバから受信されるプログラムには、システムプログラムとアプリケーションプログラムの２種類のプログラムが存在し」とは「前記サーバから受信されるプログラムには、アプリケーションプログラムが存在し」ている点で共通する。
　
（９）引用文献１発明の「前記コンテンツサーバからゲームアプリケーションを含むことができるサブコンテンツを自動的に受信することができる受信手段」は、当該「受信手段」を主語にしてみれば、本願発明の「前記受信手段は、前記アプリケーションプログラムを自動的に受信し」ていることと実質的な差異はない。
　
（１０）引用文献１発明の「ダウンロードマネージャーは、既に再生されたサブコンテンツと、ローカルストレージ上から削除されたサブコンテンツを、新着サブコンテンツとして扱わないこととし、コンテンツサーバ上に存在するサブコンテンツのうち、ローカルストレージ上に記憶されておらず、かつ、再生／削除履歴情報中にも記載されていないサブコンテンツを新着サブコンテンツと判断し、ダウンロードマネージャーは、ダウンロードしたサブコンテンツを共通ディレクトリの配下ないし固有ディレクトリの配下に記憶するように制御し、ユーザからサブコンテンツの再生要求が発生した場合には、既にダウンロードした新着サブコンテンツを再生することができ」ること、において、前記サブコンテンツのダウンロード、記憶、再生に係る「ダウンロードマネージャー」は、本願発明の「インストール手段」に相当し、してみれば、引用文献１発明の前記事項と本願発明の「前記インストール手段は、前記アプリケーションプログラムの情報処理装置への新規インストール処理を自動的に行」うこととに実質的な差異はない。
　
（１１）引用文献１発明の「前記受信手段は、前記削除履歴情報を基に、前記記憶されていないサブコンテンツのうち、前記削除されたサブコンテンツを除いたサブコンテンツを受信することにより、未記憶のサブコンテンツを受信するだけでなく、削除されたサブコンテンツが受信されないように制御できる」ことと本願発明の「前記受信手段は、前記削除プログラム特定情報で特定されるアプリケーションプログラムについては、受信処理を行わない」こととに実質的な差異はない。
　
（１２）引用文献１発明の「記録再生装置」が情報処理を行うことは明らかであるから本願発明の「情報処理装置」と実質的な差異はない。
　
　以上の対比によれば、本願発明と引用文献１発明とは次の事項を有する点で一致し、そして相違する。
〈一致点〉
　自動的にサーバに接続する接続手段と、
　前記サーバから１以上のプログラムの受信処理を自動的に行う受信手段と、
　前記受信手段によって受信された前記プログラムがインストールされていないときは、当該プログラムの情報処理装置への新規インストール処理を自動的に行うインストール手段と、
　　前記インストールされたプログラムの一覧を作成し出力する一覧作成手段と、
　　前記情報処理装置への所定の操作に応じて、前記一覧からいずれかのプログラムを選択する第１の選択手段と、
　　前記選択されたプログラムのアンインストール処理を行うアンインストール手段と、
　　前記アンインストール手段によってアンインストールされたプログラムを特定するための削除プログラム特定情報を記憶する削除履歴記憶手段とを備え、
　前記サーバから受信されるプログラムには、アプリケーションプログラムが存在し、
　前記受信手段は、前記アプリケーションプログラムを自動的に受信し、
　前記インストール手段は、前記アプリケーションプログラムの情報処理装置への新規インストール処理を自動的に行い、
　前記受信手段は、前記削除プログラム特定情報で特定されるアプリケーションプログラムについては、受信処理を行わない、情報処理装置。
　
〈相違点〉
　サーバから受信されるプログラムに関し、本願発明は「システムプログラム」とアプリケーションプログラムの「２種類の」プログラムが存在しているのに対し、引用文献１発明はそのような特定がされていない点。
　
第５　当審判断
〈相違点〉について
　引用文献３には「アップデートは、限定されないが、アプリケーション、携帯電話のオペレーティングシステムのようなアップデートのためのソフトウェアを含む・・・任意のアップデートがオンラインで発見されると、スリープモードの間にダウンロードされインストール可能である」ことが記載されており、前記「オペレーティングシステム」は「システムプログラム」といえるものであり、前記記載から「スリープモードの間にダウンロードされインストール可能であるプログラム」として「アプリケーションプログラムとシステムプログラム」である技術をよみとることができる。
　本願発明において「システムプログラムとアプリケーションプログラムの２種類のプログラムが存在して」いることが如何なる技術的思想を伴うものであるのか、そして、他の構成とどのように関係し如何なる作用効果を果たすのか全く記載されておらず、してみれば、引用文献１発明において、サーバから受信されるプログラムに関し、「システムプログラムとアプリケーションプログラムの２種類のプログラム」が存在していると成すことは、前記引用文献３に記載された技術を参酌することにより当業者が適宜になし得ることである。
　
　そして、本願発明の構成により奏する効果も、引用文献１発明、引用文献２ないし引用文献３に記載された技術、周知技術から当然予測される範囲内のものにすぎない。
　
　以上のとおり、本願発明は、特許法第２９条第２項の規定により特許を受けることができないから、他の請求項に係る発明について検討するまでもなく、本願は拒絶されるべきものである。
　　
第６　むすび
　以上のとおり、本願発明は、本願出願前に日本国内又は外国において、頒布された刊行物に記載された発明又は電気通信回線を通じて公衆に利用可能となった発明、周知技術に基いて当業者が容易に発明をすることができたものであって、特許法第２９条第２項の規定により特許を受けることができないものであるから、本願は、拒絶すべきものである。
　
よって、結論のとおり審決する。